(57)【要約】【課題】近年、地上デジタルテレビ放送が開始され、従来のＳＤ画質のテレビだけでなく、ＨＤ画質の表示を行うことができるテレビが広く知られるようになっている。しかしながら、同じＨＤ画質と言われるテレビでも画面サイズや表示可能画素数の組み合わせで様々な種類のテレビが存在しているため、これら様々な種類のテレビに、デジタルビデオカメラなどの映像信号再生装置を接続した場合、メニュー画面やサムネイル一覧表示画面など同じ表示となっており、それぞれの機器のユーザーにとって最適な画面表示となっていなかった。【解決手段】接続されたテレビなどの外部モニタから画面サイズや表示可能画素数などの表示画面情報を取得し、その情報を元に、サムネイル表示画面においてサムネイル画像に関連する情報を付加することによって、最適な画面表示を実現する。【選択図】図１
2007274446.tif 000002
【特許請求の範囲】
【請求項１】
外部表示装置に接続し、ランダムアクセス可能な記録メディアに記録された１つまたは複数の映像データの再生を行う映像信号再生装置であって、
前記外部表示装置との間で映像データを含む情報データを送受信するデータ送受信手段と、
前記データ送受信手段を通じて、前記外部表示装置の表示画面情報を取得する表示画面情報取得手段と、
前記映像データを一覧表示するサムネイル画面を生成するサムネイル画面生成手段と、
前記サムネイル画面に関連する情報の表示を、前記表示画面情報を元に判断する付加情報判断手段とを備えた映像信号再生装置。
【請求項２】
映像信号表示手段をさらに備えた請求項１記載の映像信号再生装置。
【請求項３】
前記表示画面情報が、前記外部表示装置の画面のサイズ情報である請求項１記載の映像信号再生装置。
【請求項４】
前記表示画面情報が、前記外部表示装置の画面のアスペクト比情報である請求項１記載の映像信号再生装置。
【請求項５】
前記表示画面情報が、前記外部表示装置の画面の画素数情報である請求項１記載の映像信号再生装置。
【請求項６】
前記付加情報判断手段が使用する前記表示画面情報を設定する付加情報表示判断設定手段を備えた請求項３ないし請求項５のいずれかに記載の映像信号再生装置。
【請求項７】
前記付加情報判断手段は、前記付加情報を、前記映像データのタイトル名を含む名称情報とする請求項１記載の映像信号再生装置。
【請求項８】
前記付加情報判断手段は、前記付加情報を、映像データの記録日時情報とする請求項１記載の映像信号再生装置。
【請求項９】
前記付加情報判断手段は、前記付加情報を、映像データの記録時間情報とする請求項１記載の映像信号再生装置。
【請求項１０】
前記付加情報判断手段は、前記付加情報を、撮影時のカメラ情報とする請求項１記載の映像信号再生装置。
【請求項１１】
前記付加情報判断手段は、前記付加情報を、再生停止時に停止位置を記録したレジューム情報とする請求項１記載の映像信号再生装置。
【請求項１２】
前記映像信号表示手段と前記外部表示装置とに表示するサムネイル画面のサムネイル画像の数が同じである請求項２記載の映像信号再生装置。
【請求項１３】
前記付加情報判断手段は、前記表示画面情報を元に、前記映像 信号再生手段と前記外部表示装置とに表示するサムネイル画面に、異なる付加情報を付加する請求項１２記載の映像信号再生装置。
【請求項１４】
前記データ送受信手段を介して、前記外部表示装置から操作指示を受け付ける請求項１記載の映像信号再生装置。
【発明の詳細な説明】
【技術分野】
【０００１】
本発明は、圧縮して記録された映像データ（動画、静止画）を、表示器や外部出力にて再生するランダムアクセス可能なメディアを使用した映像信号再生装置（映像信号記録再生装置を含む）に関するものであり、特に再生する映像信号を選択するためのサムネイル画像一覧表示画面の表示方法に関するものである。
【背景技術】
【０００２】
近年のデバイス技術の進展により、デジタル化された映像信号の記録メディアとしてテープメディアから、ＤＶＤに代表される光ディスクや、ＳＤ（商標）カードに代表されるフラッシュメモリへ記録を行う応用機器が普及し始めている。
【０００３】
これらのメディアは、従来のメディアであるテープなどと異なり、ランダムアクセスが可能である。そのため、従来のメディアではできなかった記録された動画データの代表画像をサムネイル画像として表示し、ユーザが容易に所望の動画を選択することができる機能が実現されている。
【０００４】
また、近年、地上デジタルテレビ放送が開始され、従来のＳＤ画質のテレビだけでなく、ＨＤ画質の表示を行うことができるテレビが広く知られるようになってきている。
【０００５】
しかしながら、同じＨＤ画質と言われるテレビでも画面サイズや表示可能画素数の組み合わせで様々な種類のテレビが存在している。これら様々な種類のテレビに、デジタルビデオカメラなどの映像信号再生装置を接続し、記録した画像を表示する方法として、例えば特許文献１では、テレビの画素数に応じて、表示する画面数を変更するデジタルカメラが開示されている。
【特許文献１】特開２００５−８００４２号公報
【発明の開示】
【発明が解決しようとする課題】
【０００６】
しかしながら、表示する画面数やその配置を変更することにより、テレビ上での画面の見易さは改善されるものの、メニュー画面やサムネイル一覧表示画面など、ユーザの操作が必要な画面においては、画面の見易さよりも、むしろ操作を行うにあたって必要な情報が表示される方が望ましく、それぞれの機器のユーザにとって最適な画面表示となっていなかった。
【０００７】
本発明は上記従来の課題を解決するものであり、画面サイズおよび表示可能画質の組み合わせで存在する様々な種類のテレビにおいて、最適な画面表示を行うことにより、それぞれの機器のユーザにとって使用しやすいユーザーインターフェイスを提供することを目的とする。
【課題を解決するための手段】
【０００８】
本発明の映像信号再生装置は、外部表示装置に接続し、ランダムアクセス可能な記録メディアに記録された１つまたは複数の映像データの再生を行う映像信号再生装置であって、前記外部表示装置との間で映像データを含む情報データを送受信するデータ送受信手段と、前記データ送受信手段を通じて、前記外部表示装置の表示画面情報を取得する表示画面情報取得手段と、前記映像データを一覧表示するサムネイル画面を生成するサムネイル画面生成手段と、前記サムネイル画面に関連する情報の表示を、前記表示画面情報を元に判断する付加情報判断手段とを備えたことを特徴とする。
【発明の効果】
【０００９】
本発明の映像信号再生装置によると、画面サイズや表示可能画質の組み合わせで存在する様々な種類の外部モニタに対して、付加情報を加えた最適な画面表示を行うことにより、それぞれの機器のユーザにとって使用しやすいユーザーインターフェイスを提供することができる。
【発明を実施するための最良の形態】
【００１０】
以下、本発明の一実施の形態における映像信号再生装置について、図面に基づいて説明する。
【００１１】
図２は、映像信号再生装置の操作パネル上のボタン配置、図３は、映像信号再生装置のブロック構成図を示している。図４は、映像信号再生装置の映像信号表示手段の画面出力の説明図である。
【００１２】
図３において、映像信号再生装置３０１は、記録メディア３１０上のデータへのアクセス、およびその管理を行うメディア情報管理手段３２０、再生中の情報を管理する再生情報管理手段３１９、サムネイル画面を取得、生成するサムネイル画面表示手段３１８、サムネイル画面に付加する情報を取得、生成するサムネイル画面付加情報表示手段３１７、画面上に表示する表示画面を生成する表示画面生成手段３１１、生成された表示画面を表示する映像信号表示手段３１２、インターフェイスケーブル３１４で接続された外部映像信号表示装置３０２との間でデータの送受信を行うデータ送受信手段３１３、データ送受信手段３１３を介して外部映像信号表示装置３０２の表示画面情報を取得する表示画面情報取得手段３１５、表示画面情報取得手段３１５を介して取得した外部映像信号表示装置３０２の表示画面情報を基に、付加すべき情報を判断する付加情報表示判断手段３１６から構成される。
【００１３】
以下、映像再生装置３０１の動作について説明する。まず、映像信号再生装置３０１のサムネイル画面表示の基本動作を説明する。なお、以下の例では、記録メディア３１０内に再生可能な映像データが６個 存在し、映像データに該当するサムネイル画像がサムネイル画面上に表示されている。また、ユーザがサムネイル画面表示動作を行った際に、１番目のサムネイル画像が選択されている状態である。
【００１４】
映像信号再生装置３０１が、ユーザにより記録メディア３１０に記録している映像データの一覧表示を指示されると、サムネイル画面表示手段３１８は、記録メディア３１０内に記録されている映像データの数をメディア情報管理手段３２０より取得する。本実施の形態では、６個である。次にサムネイル画面表示手段３１８は、表示すべき該当映像データに対応したサムネイル画像をメディア情報管理手段より取得する。同様に、サムネイル画面付加情報表示手段３１７は、メディア情報管理手段３２０より映像データのタイトル名を取得する。
【００１５】
また、再生情報管理手段３１９より、現在何番目のサムネイル画像が選択されているかの情報を取得する。本実施の形態においては、１番目である。
【００１６】
表示画面生成手段３１１は、サムネイル画像以外の各種情報を示すアイコン４０１、４０６、４０８、４１２、４１４、４１６を、図４に示すように、映像信号表示手段３１２の出力画像メモリに配置していく。
【００１７】
図４におけるそれぞれのアイコンは、以下の事項を示している。アイコン４０１は、再生モードであることを示している。アイコン４０６は、いくつ映像データがあり、どの映像データのサムネイル画像が選択されているかをメディア情報管理手段３２０および再生情報管理手段３１９より取得し、その情報を元に表示を行っている。アイコン４０８は、バッテリ残量を示している。アイコン４１２、４１６は、ページ切り替えを示している。ただし、本実施の形態では、映像データの数が６個なので、ページ切り替えを行うことができない。アイコン４１４は、操作パネル上のボタン操作に関する説明を示している。
【００１８】
表示画面生成手段３１１は、各種情報を示すアイコン４０１、４０６、４０８、４１２、４１４、４１６の映像信号表示手段３１２の出力画像メモリの所定位置への配置が済むと、メディア情報管理手段３２０にて取得した映像データの数と、表示可能なサムネイル画像数より、表示すべき映像データに対応したサムネイル画像とタイトル名の決定を行う。本実施の形態では、映像データの数は６個であり、表示可能なサムネイル画像数も６個なので、１から６番目の映像データすべてに対応したサムネイル画像とタイトル名を表示することとなる。
【００１９】
表示画面生成手段３１１は、サムネイル画面表示手段３１８に対し、１番目の映像データに対応したサムネイル画像の生成を指示する。サムネイル画面表示手段３１８は、メディア情報管理手段３２０を通じて、記録メディア３１０から静止画データ（該当映像データから静止画データを生成もしくは、あらかじめ記録しておいた静止画データ）を読み出し、サムネイル画像を生成する。
【００２０】
表示画面生成手段３１１は、サムネイル画面表示手段３１８にて生成されたサムネイル画像を映像信号表示手段３１２の出力画像メモリの位置４０２に配置する。
【００２１】
また、表示画面生成手段３１１は、サムネイル画面付加情報表示手段３１７に対して１番目の映像データに対応したタイトル名の生成を指示する。サムネイル画面付加情報表示手段３１７は、メディア情報管理手段３２０を通じて、記録メディア３１０からタイトル名を取得し、タイトル名を出力画像メモリに配置する形式に変換を行う。表示画面生成手段３１１は、サムネイル画面付加情報表示手段３１７にて生成されたタイトル名データを映像信号表示手段３１２の出力画像メモリの位置４０３に配置する。
【００２２】
同様にして、表示画面生成手段３１１は、２から６番目の映像データに対応したサムネイル画像を、それぞれ映像信号表示手段３１２の出力画像メモリの位置４０４、４０７、４１８、４１５、４１０に配置する。また、表示画面生成手段３１１は、２から６番目の映像データに対応したタイトル名データを、それぞれ映像信号表示手段３１２の出力画像メモリの位置４０５、４０９、４１７、４１３、４１１に配置する。そして、映像信号表示手段３１２は、出力画像メモリの位置４０１から４１８に基づきサムネイル一覧画面を表示する。
【００２３】
また、再生情報管理手段３１９にて、１番目のサムネイル画像が選択されているとの情報を取得しているので、１番目のサムネイル画像を太い枠で囲むなどして、現在選択されているサムネイル画像を認知しやすいように強調表示を行う。そして、この状態にある時に、操作パネル上のボタン２０５が押されると、１番目の映像データの再生を開始する。また、サムネイル表示画面が表示されている時に、操作パネル上のボタン２０１から２０４が押されると、選択するサムネイル画像を変更することができる。ボタン２０１は上のサムネイルへ、ボタン２０２は下のサムネイルへ、ボタン２０３は左のサムネイルへ、ボタン２０４は右のサムネイルへの移動を行なう。また、この時に選択されたサムネイル画像に対して行なっている太い枠線の強調表示も移動することとなる。
【００２４】
以上が、ユーザにより映像信号再生装置のサムネイル画面表示を指示された際の基本動作になる。
【００２５】
次に、インターフェイスケーブル３１４にて外部映像信号表示装置３０２がＨＤ画質のＴＶなどのモニタと接続された場合の動作を図７のフローチャートを用いて、説明する。
【００２６】
データ送受信手段３１３は、外部映像信号表示装置３０２とインターフェイスケーブル３１４で接続されたことを検知し、現在表示画面モードがサムネイル表示画面である場合に、表示画面生成手段３１１に対し、サムネイル画面生成指示を行う（Ｓ７０２）。
【００２７】
また、続いて表示画面情報取得手段３１５は、データ送受信手段３１３を通じて外部映像信号表示装置３０２に対し、表示画面情報を要求する。そして、外部映像信号表示装置３０２からの応答により、表示画面情報取得手段３１５は外部映像信号表示装置３０２がＨＤ画質であるとの表示画面情報を取得する（Ｓ７０３）。取得した表示画面情報は、付加情報表示判断手段３１６に渡される。
【００２８】
付加情報表示判断手段３１６は、本実施の形態では、ＨＤ画質の場合には付加情報を表示し、ＳＤ画質の場合には付加情報を表示しないとの判断を行う（Ｓ７０４）。また、本実施の形態では、ＨＤ画質の場合の付加情報として、タイトル名、撮影日時、記録時間、及びレジューム情報が記録されている場合にはレジューム情報の表示を行う。
【００２９】
付加情報表示判断手段３１６に渡された表示画面情報はＨＤ画質であるので、付加情報表示＝ON（Ｓ７０５）の設定を行い、表示画面生成手段３１１はその結果を元に外部映像信号表示装置３０２用のサムネイル一覧画面の生成を行う。
【００３０】
表示画面生成手段３１１は、サムネイル画像以外の各種情報を示すアイコン５０１、５１０、５１１、５１７、５２０、及び５２４を、図５に示すようにデータ送受信手段３１３の外部映像信号表示装置３０２用の出力画像メモリに配置していく。
【００３１】
それぞれのアイコンは、以下の事項を示している。アイコン５０１は、再生モードであることを示している。アイコン５１０は、いくつ映像データがあり、どの映像データのサムネイル画像が選択されているかをメディア情報管理手段３２０および再生情報管理手段３１９より取得し、その情報を元に表示を行っている。アイコン５１１は、バッテリ残量を示している。アイコン５１７、５２４は、ページ切り替えを示している。ただし、実施の形態では、映像データの数が６個なので、ページ切り替えを行うことができない。アイコン５２０は、操作パネル上のボタン操作に関する説明を示している。
【００３２】
表示画面生成手段３１１は、各種情報を示すアイコン５０１、５１０、５１１、５１７、５２０、５２４の映像信号表示手段３１２の出力画像メモリの所定位置への配置が済むと、メディア情報管理手段３２０にて取得した映像データの数と、表示可能なサムネイル画像数より、表示すべき映像データに対応したサムネイル画像と付加情報の決定を行う。本実施の形態では、映像データの数は６個であり、表示可能なサムネイル画像数も６個なので、１から６番目の映像データすべてに対応したサムネイル画像と付加情報を表示することとなる。
【００３３】
表示画面生成手段３１１は、サムネイル画面表示手段３１８に対し、１番目の映像データに対応したサムネイル画像の生成を指示する（Ｓ７０７）。サムネイル画面表示手段３１８は、メディア情報管理手段３２０を通じて、記録メディア３１０から静止画データ（該当映像データから静止画データを生成もしくは、あらかじめ記録しておいた静止画データ）を読み出し、サムネイル画像を生成する。
【００３４】
表示画面生成手段３１１は、サムネイル画面表示手段３１８にて生成されたサムネイル画像をデータ送受信手段３１３の外部映像信号表示装置３０２用の出力画像メモリの位置５０２に配置する（Ｓ７０９）。
【００３５】
また、表示画面生成手段３１１は、付加情報表示判断手段３１６から付加情報表示＝ONの指示を受けているため、サムネイル画面付加情報表示手段３１７に対して１番目の映像データに対応したタイトル名、撮影日時、記録時間、レジューム情報の生成を指示する。サムネイル画面付加情報表示手段３１７は、メディア情報管理手段３２０を通じて、記録メディア３１０からタイトル名、撮影日時、記録時間を取得し、タイトル名、撮影日時、記録時間、レジューム情報が記憶されている場合にはレジューム情報を出力画像メモリに配置する形式に変換を行う。１番目の映像データにはレジューム情報が記憶されていないので、本実施の形態では表示を行わない（Ｓ７１１）。
【００３６】
表示画面生成手段３１１は、サムネイル画面付加情報表示手段３１７にて生成されたタイトル名、撮影日時、記録時間の各データをデータ送受信手段３１３の外部映像信号表示装置３０２用の出力画像メモリの位置５０３、５３０、５２９に配置する。
【００３７】
同様にして、表示画面生成手段３１１は、２から６番目の映像データに対応したサムネイル画像を、それぞれ映像信号表示手段３１２の出力画像メモリの位置５０４、５０９、５２７、５２３、５１５に配置する（Ｓ７１２からＳ７０８を繰り返す）。また、表示画面生成手段３１１は、２から６番目の映像データに対応したタイトル名データを、それぞれ映像信号表示手段３１２の出力画像メモリの位置５０７、５３１、５２８、５１９、５１４に配置し、撮影日時データを同様に位置５０５、５１２、５２６、５２２、５１６に配置し、記録時間データも同様に位置５０６、５１３、５２５、５２１、５１８に配置する。また、２番目の映像データには、レジューム情報が記録されているので、表示画面生成手段３１１は、２番目の映像データに対応したレジューム情報を再生情報管理手段より取得し、レジューム情報データを映像信号表示手段３１２の出力画像メモリの位置５０８に配置する。
【００３８】
そして、映像信号表示手段３１２は、出力画像メモリの位置５０１から５３０に基づき外部映像信号表示装置３０２にサムネイル一覧画面を表示する。
【００３９】
また、基本動作と同様に再生情報管理手段３１９にて、１番目のサムネイル画像が選択されているとの情報を取得しているので、１番目のサムネイル画像を太い枠で囲むなどして、現在選択されているサムネイル画像を認知しやすいように強調表示を行う。そして、この状態にある時に、操作パネル５２０上のボタン２０５が押されると、１番目の映像データの再生を開始する。また、サムネイル表示画面が表示されている時に、操作パネル上のボタン２０１から２０４が押されると、選択するサムネイル画像を変更することができる。ボタン２０１は上のサムネイルへ、ボタン２０２は下のサムネイルへ、ボタン２０３は左のサムネイルへ、ボタン２０４は右のサムネイルへの移動を行なう。また、この時に選択されたサムネイル画像に対して行なっている太い枠線の強調表示も移動することとなる。
【００４０】
このような操作は、映像信号再生装置３０１に対する操作と同様に、操作パネル上のボタン配置と同様のユーザーインタフェイスを持つ外部映像信号表示装置３０２のリモコンを使用して行なうこともでき、映像信号再生装置３０１は、外部映像信号表示装置３０２が受信した操作信号を、インターフェイスケーブル３１４を通じて、やりとりすることによって、実現することができる。
【００４１】
以上が、ユーザにより、外部映像信号表示装置３０２としてＨＤ画質の表示可能なＴＶなどをインターフェイスケーブル３１４で映像信号再生装置３０１と接続した場合の実施の形態の一例となる。
【００４２】
さらに、ユーザにより、外部映像信号表示装置３０２としてＳＤ画質の表示可能なＴＶなどをインターフェイスケーブル３１４で映像信号再生装置３０１と接続した場合の動作を説明する。
【００４３】
データ送受信手段３１３は、外部映像信号表示装置３０２とインターフェイスケーブル３１４で接続されたことを検知し、現在表示画面モードがサムネイル表示画面である場合に、表示画面生成手段３１１に対し、サムネイル画面生成指示を行う（Ｓ７０２）。
【００４４】
また、続いて表示画面情報取得手段３１５は、データ送受信手段３１３を通じて外部映像信号表示装置３０２に対し、表示画面情報を要求する。そして、外部映像信号表示装置３０２からの応答により、表示画面情報取得手段３１５は外部映像信号表示装置３０２がＳＤ画質であるとの表示画面情報を取得する（Ｓ７０３）。取得した表示画面情報は、付加情報表示判断手段３１６に渡される。
【００４５】
付加情報表示判断手段３１６は、実施の形態ではＨＤ画質であると付加情報を表示し、ＳＤ画質であると付加情報を表示しないとの判断を行う（Ｓ７０４）。また、実施の形態では、ＳＤ画質の場合の付加情報として、再生情報管理手段にて、選択されているサムネイル画像に対応した映像データのタイトル名のみの表示を行う。
【００４６】
付加情報表示判断手段３１６に渡された表示画面情報はＳＤ画質であるので、付加情報表示＝OFF（Ｓ７０６）と設定を行い、表示画面生成手段３１１はその結果を元に外部映像信号表示装置３０２用のサムネイル一覧画面の生成を行う。
【００４７】
表示画面生成手段３１１は、サムネイル画像以外の各種情報を示すアイコン６０１、６０３、６０４、６０７、６１０を、図６に示すように、データ送受信手段３１３の外部映像信号表示装置３０２用の出力画像メモリに配置していく。
【００４８】
それぞれのアイコンは、以下の事項を示している。アイコン６０１は、再生モードであることを示している。アイコン６０３は、いくつ映像データがあり、どの映像データのサムネイル画像が選択されているかをメディア情報管理手段３２０および再生情報管理手段３１９より取得し、その情報を元に表示を行っている。アイコン６０４は、バッテリ残量を示している。アイコン６０７、６１０は、ページ切り替えを示している。ただし、実施の形態では、映像データの数が６個なので、ページ切り替えを行うことができない。
【００４９】
表示画面生成手段３１１は、各種情報を示すアイコン６０１、６０３、６０４、６０７、６１０の映像信号表示手段３１２の出力画像メモリの所定位置への配置が済むと、メディア情報管理手段３２０にて取得した映像データの数と、表示可能なサムネイル画像数より、表示すべき映像データに対応したサムネイル画像の決定を行う。本実施の形態では、映像データの数は６個であり、表示可能なサムネイル画像数も６個なので、１から６番目の映像データすべてに対応したサムネイル画像を表示することとなる。
【００５０】
表示画面生成手段３１１は、サムネイル画面表示手段３１８に対し、１番目の映像データに対応したサムネイル画像の生成を指示する（Ｓ７０７）。サムネイル画面表示手段３１８は、メディア情報管理手段３２０を通じて、記録メディア３１０から静止画データ（該当映像データから静止画データを生成もしくは、あらかじめ記録しておいた静止画データ）を読み出し、サムネイル画像を生成する。
【００５１】
表示画面生成手段３１１は、サムネイル画面表示手段３１８にて生成されたサムネイル画像をデータ送受信手段３１３の外部映像信号表示装置３０２用の出力画像メモリの位置６１２に配置する（Ｓ７０９）。
【００５２】
また、表示画面生成手段３１１は、付加情報表示判断手段３１６から付加情報表示＝OFFの指示を受けているため、サムネイル画像に対応した個々の付加情報の表示を行わない（Ｓ７１２）。ただし、本実施の形態では、表示画面生成手段は、選択されているサムネイル画像に対応した映像データのタイトル名をデータ送受信手段３１３の外部映像信号表示装置３０２用の出力画像メモリの位置６０９に表示を行う。現在１番目のサムネイル画像が選択されているので、データ送受信手段３１３の外部映像信号表示装置３０２用の出力画像メモリの位置６０９には、１番目のサムネイル画像に対応した映像データのタイトル名データが配置されている。
【００５３】
同様にして、表示画面生成手段３１１は、２から６番目の映像データに対応したサムネイル画像を、それぞれ映像信号表示手段３１２の出力画像メモリの位置６０２、６０５、６１１、６０８、６０６に配置する（Ｓ７１２からＳ７０８を繰り返す）。
【００５４】
また、基本動作と同様に再生情報管理手段３１９にて、１番目のサムネイル画像が選択されているとの情報を取得しているので、１番目のサムネイル画像を太い枠で囲むなどして、現在選択されているサムネイル画像を認知しやすいように強調表示を行う。
【００５５】
以上が、ユーザにより、外部映像信号表示装置３０２としてＳＤ画質の表示可能なＴＶなどをインターフェイスケーブル３１４で映像信号再生装置３０１と接続した場合の実施の形態の一例となる。
【００５６】
このように、外部映像信号表示装置の表示画面情報を取得し、外部映像信号表示装置がＳＤ画質でかつ小さなサイズのテレビの場合には、サムネイル画像以外の付加情報を表示しないレイアウトでサムネイルを表示することによって、サムネイル画像を見やすくし、ユーザがどの映像データを再生するか選択しやすくすることができる。また外部映像信号表示装置がＨＤ画質でかつ大きなサイズのテレビの場合には、サムネイル画像以外の様々な付加情報を表示することにより、ユーザはどの映像データを再生するかを決定するための多くの情報を得ることができ、それぞれの機器のユーザにとって使用しやすいユーザーインターフェイスを提供することができる。
【００５７】
本実施の形態として、映像信号再生装置３０１に映像信号表示手段３１２がある場合の一例を示したが、映像信号再生装置３０１に映像信号表示手段３１２がない場合は、基本となるサムネイル画面表示の設定を持ち、付加情報表示判断手段の判断結果に応じて、映像信号表示手段３１２がある場合と同様に付加する情報を選択するようにしても良い。
【００５８】
また、実施の形態として、付加情報表示判断手段にて判断を行なう情報として、画質がＨＤ画質であるのかＳＤ画質であるのかで行なったが、画素数情報により２つよりも多くの付加する情報の組み合わせを切替えても良い。さらに、画素数情報のみならず、画面のサイズやアスペクト情報を元に判断を行なう、またはこれらの情報を組み合わせて複数の付加する情報の組み合わせを切替えても良い。そして、これらの付加する情報の組み合わせをユーザにより設定可能としても良い。
【産業上の利用可能性】
【００５９】
デジタルビデオカメラ、デジタルビデオレコーダーやデジタルスチルカメラなどのランダムアクセス可能なメディアを使用する映像信号再生装置および映像信号記録再生装置などに適用できる。
【図面の簡単な説明】
【００６０】
【図１】本発明の一実施の形態における映像信号再生装置の画面出力を示す図
【図２】本発明の一実施の形態における映像信号再生装置の操作パネル上のボタン配置図
【図３】本発明の一実施の形態における映像信号再生装置のブロック構成図
【図４】本発明の一実施の形態における映像信号表示手段への画面出力を示す図
【図５】本発明の一実施の形態における情報を付加した画面出力を示す図
【図６】本発明の一実施の形態における情報を付加しない画面出力を示す図
【図７】本発明の一実施の形態におけるサムネイル画面表示時のフローチャート
【符号の説明】
【００６１】
３０１  映像信号再生装置
３０２  外部映像信号表示装置
３１０  記録メディア
３１１  表示画面生成手段
３１２  映像信号表示手段
３１３  データ送受信手段
３１４  インターフェイスケーブル
３１５  表示画面情報取得手段
３１６  付加情報表示判断手段
３１７  サムネイル画面付加情報表示手段
３１８  サムネイル画面表示手段
３１９  再生情報管理手段
３２０  メディア情報管理手段
【図１】
2007274446.tif 000003
【図２】
2007274446.tif 000004
【図３】
2007274446.tif 000005
【図４】
2007274446.tif 000006
【図５】
2007274446.tif 000007
【図６】
2007274446.tif 000008
【図７】
2007274446.tif 000009